(57)【要約】【課題】店頭で、商品の価格等の情報の表示を、最新のものにすることに掛かる時間と労力を削減すること。【解決手段】商品又は商品を陳列する陳列台に取り付けられ、画像表示装置と、ＩＣタグとを備え、ＩＣタグは、無線通信で送られて来た、画像表示装置に表示する情報を受け取り、この情報を画像表示装置に表示する機能を有するプライスタグと、  各プライスタグのＩＣタグに、各プライスタグの画像表示装置に表示する商品情報を、無線通信で送るコンピュータシステムとを具備することを特徴とする商品情報表示システム。【選択図】なし【特許請求の範囲】
【請求項１】
商品又は商品を陳列する陳列台に取り付けられ、画像表示装置と、ＩＣタグとを備え、ＩＣタグは、無線通信で送られて来た、画像表示装置に表示する情報を受け取り、この情報を画像表示装置に表示する機能を有するプライスタグと、
各プライスタグのＩＣタグに、各プライスタグの画像表示装置に表示する商品情報を、無線通信で送るコンピュータシステムとを具備することを特徴とする商品情報表示システム。
【請求項２】
商品情報には、商品の価格が含まれることを特徴とする請求項１に記載の商品情報表示システム。
【請求項３】
商品又は商品を陳列する陳列台に取り付けられ、画像表示装置と、ＩＣタグとを備えるプライスタグと、コンピュータシステムとを具備する商品情報表示システムが実行する方法であって、
コンピュータシステムが、各プライスタグのＩＣタグに、各プライスタグの画像表示装置に表示する商品情報を、無線通信で送る工程と、
各プライスタグのＩＣタグが、無線通信で送られて来た、各プライスタグの画像表示装置に表示する商品情報を受け取り、この商品情報を画像表示装置に表示する工程とを含むことを特徴とする商品情報表示方法。
【請求項４】
商品情報には、商品の価格が含まれることを特徴とする請求項３に記載の商品情報表示方法。
【発明の詳細な説明】
【技術分野】
【０００１】
商品の価格等の情報を表示する技術に関する。
【背景技術】
【０００２】
一般に、商品を店頭に陳列する場合、この商品の価格等の情報を印刷や手書きなどで記入したプライスタグを、この商品に取り付けるか、或は、この商品を陳列している陳列台に取り付けて、この商品の価格等の情報を表示する。
【０００３】
商品の価格等の情報を変更するには、プライスタグを取り替えるか、或は、変更箇所にシールを貼るか、若しくは、手書きで変更するかしている。
【０００４】
このように、店頭で、商品の価格等の情報の表示を、最新のものにすることは、大いに人手に頼っており、時間と労力を大変に必要とするものである。
【発明の開示】
【発明が解決しようとする課題】
【０００５】
本発明は斯かる背景技術に鑑みてなされたもので、店頭で、商品の価格等の情報の表示を、最新のものにすることに掛かる時間と労力を削減することを課題とする。
【課題を解決するための手段】
【０００６】
本発明において上記課題を達成するために、まず請求項１の発明では、商品又は商品を陳列する陳列台に取り付けられ、画像表示装置と、ＩＣタグとを備え、ＩＣタグは、無線通信で送られて来た、画像表示装置に表示する情報を受け取り、この情報を画像表示装置に表示する機能を有するプライスタグと、
各プライスタグのＩＣタグに、各プライスタグの画像表示装置に表示する商品情報を、無線通信で送るコンピュータシステムとを具備することを特徴とする商品情報表示システムとしたものである。
【０００７】
また請求項２の発明では、商品情報には、商品の価格が含まれることを特徴とする請求項１に記載の商品情報表示システムとしたものである。
【０００８】
また請求項３の発明では、商品又は商品を陳列する陳列台に取り付けられ、画像表示装置と、ＩＣタグとを備えるプライスタグと、コンピュータシステムとを具備する商品情報表示システムが実行する方法であって、
コンピュータシステムが、各プライスタグのＩＣタグに、各プライスタグの画像表示装置に表示する商品情報を、無線通信で送る工程と、
各プライスタグのＩＣタグが、無線通信で送られて来た、各プライスタグの画像表示装置に表示する商品情報を受け取り、この商品情報を画像表示装置に表示する工程とを含むことを特徴とする商品情報表示方法としたものである。
【０００９】
また請求項４の発明では、商品情報には、商品の価格が含まれることを特徴とする請求項３に記載の商品情報表示方法としたものである。
【発明の効果】
【００１０】
請求項１及び３の発明では、商品又は商品を陳列する陳列台に取り付けられているプライスタグの表示装置に表示する商品情報を、コンピュータシステムで一括管理するので、店頭で、商品の価格等の情報の表示を、最新のものにすることに掛かる時間と労力を削減
できるという効果がある。
【００１１】
請求項２及び４の発明では、特売やタイムセールなど、頻繁に商品の価格を変更することが容易に行えるという効果がある。
【発明を実施するための最良の形態】
【００１２】
以下に、本発明の最良の一実施形態を説明する。
【００１３】
１．構成
本実施形態に係わる商品情報表示システムは、図１に示すように、サーバと、各店舗を統括する本部のパソコンと、各店舗のパソコンと、各店舗の商品又は陳列台に取り付けられているプライスタグとを備える。サーバと、各パソコンとは、ネットワークに接続される。各店舗内で、各店舗のパソコンと、各プライスタグとは、無線通信を行う。
【００１４】
プライスタグは、図２に示すように、画像表示装置と、ＩＣタグとを備え、ＩＣタグは、無線通信で送られて来た、画像表示装置に表示する情報を受け取り、この情報を画像表示装置に表示する機能を有する。
【００１５】
画像表示装置には、例えば、電子ペーパー、液晶表示装置、ＬＥＤ表示装置、ＥＬ表示装置等がある。特に、電子ペーパーは、電源を切っても表示が消えないメモリ性を有する点で、好ましく用いられる。
【００１６】
プライスタグは、商品に取り付けるか、或は、商品を陳列している陳列台に取り付ける。プライスタグを商品に取り付けた場合、この商品を購入するためにレジで顧客が支払いをする際に、レジ係は、この商品に取り付けられているプライスタグを回収する。
【００１７】
本部のパソコンは、各店舗の商品又は陳列台に取り付けられている各プライスタグの画像表示装置に表示する、商品の価格等の情報を、サーバに入力するためのパソコンである。
【００１８】
サーバは、各店舗の商品又は陳列台に取り付けられている各プライスタグの画像表示装置に表示する、商品の価格等の情報（本部のパソコンから入力されたもの）を、各店舗のパソコンに配信するためのコンピュータである。
【００１９】
各店舗のパソコンは、各店舗の商品又は陳列台に取り付けられている各プライスタグにの画像表示装置に表示する、商品の価格等の情報（サーバから配信されたもの）を、無線通信で、各店舗の各プライスタグのＩＣタグに送るためのパソコンである。
【００２０】
２．処理
本実施形態に係わる商品情報表示システムにより行われる処理の流れの例を、以下のＳＴＥＰ１〜４に説明する。
【００２１】
Ｓ（ＳＴＥＰ）１；
本部の者が、本部のパソコンにて、各店舗の商品又は陳列台に取り付けられている各プライスタグ画像表示装置に表示する、商品の価格等の情報を、サーバに入力する。
【００２２】
Ｓ（ＳＴＥＰ）２；
サーバは、各店舗の商品又は陳列台に取り付けられている各プライスタグ画像表示装置に表示する、商品の価格等の情報（本部のパソコンから入力されたもの）を、各店舗のパソコンに配信する。
【００２３】
Ｓ（ＳＴＥＰ）３；
各店舗のパソコンは、各店舗の商品又は陳列台に取り付けられている各プライスタグ画像表示装置に表示する、商品の価格等の情報（サーバから配信されたもの）を、無線通信で、各店舗の各プライスタグのＩＣタグに送る。
【００２４】
Ｓ（ＳＴＥＰ）４；
各プライスタグのＩＣタグは、各プライスタグ画像表示装置に表示する商品の価格等の情報（各店舗のパソコンから無線通信で送られて来たもの）を受け取り、この商品の価格等の情報を画像表示装置に表示する。
【００２５】
３．その他
画像表示装置を備え、無線通信で送られて来た、画像表示装置に表示する情報を受け取り、この情報を画像表示装置に表示する機能を有するＩＣカードを、会員に所持させ、プライスタグの場合と同様にして、店舗内にいる会員のＩＣカードの画像表示装置に、会員のみに特別な商品の価格等の情報を表示しても良い。
【図面の簡単な説明】
【００２６】
【図１】商品情報表示システムの構成の例を示す図。
【図２】プライスタグの構成の例を示す図。
【図１】
2005352830.tif 000002
【図２】
2005352830.tif 000003